(57)【要約】【課題】受信された画像データに含まれる埋込情報に基づいて、画像データを所定の格納先に格納する通信装置、通信方法及びコンピュータプログラムを提供することにより、操作者による画像のファイリング等の手間を省力すること。【解決手段】  受信された画像データに含まれる埋込情報を取得する埋込情報取得手段と、前記埋込情報に基づき、前記画像データの格納先を決定する格納先決定手段と、前記格納先に前記画像データを格納するデータ格納手段と、を有する通信装置。【選択図】図２
2009017482.tif 000002
【特許請求の範囲】
【請求項１】
受信された画像データに含まれる埋込情報を取得する埋込情報取得手段と、
前記埋込情報に基づき、前記画像データの格納先を決定する格納先決定手段と、
前記格納先に前記画像データを格納するデータ格納手段と、
を有する通信装置。
【請求項２】
画像データの送信元に係る情報と、前記格納先の識別情報とを対応づけて保持する格納先情報保持手段を有し、
前記埋込情報取得手段は、前記埋込情報から前記画像データの送信元に係る情報を取得し、
前記格納先決定手段は、前記送信元に係る情報と前記格納先情報保持手段に保持されている情報とに基づいて前記格納先を決定する請求項１記載の通信装置。
【請求項３】
前記格納先が、ネットワークを介して接続された蓄積手段に設けられたフォルダの場合に、
前記格納先決定手段は、
前記埋込情報に基づき、前記画像データが前記フォルダに格納される際のファイル名を決定するファイル名決定手段を有し、
前記データ格納手段は、前記蓄積手段に対して前記画像データと前記ファイル名とを送信して格納させる請求項１又は２記載の通信装置。
【請求項４】
前記フォルダが、前記蓄積手段に未だ設けられていない場合に、前記データ格納手段は当該フォルダを前記蓄積手段に設ける請求項３記載の通信装置。
【請求項５】
前記格納先情報保持手段は、前記埋込情報の取得ができない場合に対応する所定の格納先の識別情報を保持する請求項２記載の通信装置。
【請求項６】
前記埋込情報取得手段は、
前記埋込情報に前記受信された画像データの宛先に対する所定のメッセージ情報が含まれる場合に、前記埋込情報から、前記メッセージ情報を取得するメッセージ情報取得手段を有し、
前記メッセージ情報に基づき、前記宛先に対応するメールアドレスに対して所定の書式のメールを送信するメール送信手段を有する請求項１ないし５何れか一項に記載の通信装置。
【請求項７】
前記画像データの画像が複数頁から構成され、前記埋込情報が前記頁毎に対応する格納先の情報を含む場合に、
前記画像データから前記頁毎の頁データを生成する頁データ生成手段を有し、
前記格納先決定手段は、前記頁データ毎に対応する格納先を決定し、
前記データ格納手段は、前記頁データ毎に対応する格納先に前記頁データを格納する請求項１ないし６何れか一項に記載の通信装置。
【請求項８】
前記埋込情報が、前記画像データの画像の領域毎に該領域の属性に係る情報を含む場合に、
前記領域の属性に係る情報に基づき、前記画像データから所定の画像領域を抽出し、又は、前記画像データから所定の画像領域を削除する領域処理手段を有し、
前記データ格納手段は、前記領域処理手段によって処理された画像データを格納する請求項１ないし７何れか一項に記載の通信装置。
【請求項９】
前記画像が所定の書式に基づく帳票画像であって、前記埋込情報が、前記帳票画像の記入領域毎の属性に係る情報を含む場合に、
前記記入領域に対する入力を促す入力画面を生成する入力画面生成手段と、
前記入力画面に基づき入力された情報を、前記帳票画像の前記記入領域に対応する位置に合成する入力合成手段と、
を有し、
前記データ格納手段は、前記入力合成手段によって合成処理された帳票画像の画像データを格納する請求項１ないし７何れか一項に記載の通信装置。
【請求項１０】
前記画像データを、前記送信元に返信する返信手段を有する請求項８又は９記載の通信装置。
【請求項１１】
前記返信手段が返信する画像データの画像を媒体上に形成し、又は、前記画像のプレビュー画面を生成する、確認画像生成手段を有する請求項１０記載の通信装置。
【請求項１２】
受信された画像データに含まれる埋込情報を取得する埋込情報取得ステップと、
前記埋込情報に基づき、前記画像データの格納先を決定する格納先決定ステップと、
前記格納先に前記画像データを格納するデータ格納ステップと、
を有する通信方法。
【請求項１３】
画像データの送信元に係る情報と、前記格納先の識別情報とを対応づけて保持する格納先情報保持ステップを有し、
前記埋込情報取得ステップにおいて、前記埋込情報から前記画像データの送信元に係る情報を取得し、
前記格納先決定ステップにおいて、前記送信元に係る情報と前記格納先情報保持手段に保持されている情報とに基づいて前記格納先を決定する請求項１２記載の通信方法。
【請求項１４】
前記格納先が、ネットワークを介して接続された蓄積手段に設けられたフォルダの場合に、
前記格納先決定ステップにおいて、
前記埋込情報に基づき、前記画像データが前記フォルダに格納される際のファイル名を決定するファイル名決定ステップを有し、
前記データ格納ステップにおいて、前記蓄積手段に対して前記画像データと前記ファイル名とを送信して格納する請求項１２又は１３記載の通信方法。
【請求項１５】
コンピュータに、請求項１２ないし１４何れか一項に記載の通信方法を実行させるコンピュータプログラム。
【発明の詳細な説明】
【技術分野】
【０００１】
本発明は、通信装置、通信方法及びコンピュータプログラムに関し、より詳細には、画像データの中の埋込情報を取得し、その埋込情報に応じてデータ送信を行なう通信装置、通信方法及びコンピュータプログラムに関する。
【背景技術】
【０００２】
近年、通信機能付きの画像読取装置やファクシミリ装置などの通信装置において、予めバーコードなどの埋込情報が印刷された原稿を読取り、読取画像データ中のバーコードを認識し、そのバーコードに含まれる宛先情報に基づいて、データ送信を行なうファックス通信方法等の技術がある。
【０００３】
例えば、特開２００３−７８７３９号公報（特許文献１）には、所定の位置に、送信先番号及び送信先に関する情報を含むバーコードが記入されている送信用紙が読み取られた場合に、そのバーコードに含まれている送信先番号及び送信先に関する情報に基づいて、他の装置との間でデータの送受信を行うファクシミリ装置の技術が開示されている。
【０００４】
特許文献１に開示のファクシミリ装置によれば、操作者による送信先番号の入力を省くことができるので、番号入力の誤り等を避けることができる。
【特許文献１】特開２００３−７８７３９号公報
【発明の開示】
【発明が解決しようとする課題】
【０００５】
しかしながら、上述特許文献１に記載の技術では、ファクシミリを受信した際に、その画像データを保存等する処理については考慮されていない。
【０００６】
本発明は、上記の問題点に鑑みてなされたものであり、受信された画像データに含まれる埋込情報に基づいて、画像データを所定の格納先に格納する通信装置、通信方法及びコンピュータプログラムを提供することを目的としている。
【課題を解決するための手段】
【０００７】
上記課題を解決するために、本発明の通信装置は、対象データである送信用データ、受信データ、又は、転送用データに含まれる埋込情報から、当該通信装置が保持する格納先に係る情報等と照合し格納先のフォルダへのパス名を決定することを採用する。
【０００８】
また、上記課題を解決するために、本発明の通信装置は、受信された画像データに含まれる埋込情報を取得する埋込情報取得手段と、前記埋込情報に基づき、前記画像データの格納先を決定する格納先決定手段と、前記格納先に前記画像データを格納するデータ格納手段と、を有する構成とすることができる。
【０００９】
これにより、受信された画像データに含まれる埋込情報に基づいて、画像データを所定の格納先に格納する通信装置を提供することができる。
【００１０】
また、上記目的を達成するために、本発明の通信装置は、さらに、画像データの送信元に係る情報と、前記格納先の識別情報とを対応づけて保持する格納先情報保持手段を有し、前記埋込情報取得手段は、前記埋込情報から前記画像データの送信元に係る情報を取得し、前記格納先決定手段は、前記送信元に係る情報と前記格納先情報保持手段に保持されている情報とに基づいて前記格納先を決定するように構成することができる。
【００１１】
また、上記目的を達成するために、本発明の通信装置は、さらに、前記格納先が、ネットワークを介して接続された蓄積手段に設けられたフォルダの場合に、前記格納先決定手段は、前記埋込情報に基づき、前記画像データが前記フォルダに格納される際のファイル名を決定するファイル名決定手段を有し、前記データ格納手段は、前記蓄積手段に対して前記画像データと前記ファイル名とを送信して格納させるように構成することができる。
【００１２】
また、上記目的を達成するために、本発明の通信装置は、さらに、前記フォルダが、前記蓄積手段に未だ設けられていない場合に、前記データ格納手段は当該フォルダを前記蓄積手段に設けるように構成することができる。
【００１３】
また、上記目的を達成するために、本発明の通信装置は、さらに、前記格納先情報保持手段は、前記埋込情報の取得ができない場合に対応する所定の格納先の識別情報を保持するように構成することができる。
【００１４】
また、上記目的を達成するために、本発明の通信装置は、さらに、前記埋込情報取得手段は、前記埋込情報に前記受信された画像データの宛先に対する所定のメッセージ情報が含まれる場合に、前記埋込情報から、前記メッセージ情報を取得するメッセージ情報取得手段を有し、前記メッセージ情報に基づき、前記宛先に対応するメールアドレスに対して所定の書式のメールを送信するメール送信手段を有する構成とすることができる。
【００１５】
また、上記目的を達成するために、本発明の通信装置は、さらに、前記画像データの画像が複数頁から構成され、前記埋込情報が前記頁毎に対応する格納先の情報を含む場合に、前記画像データから前記頁毎の頁データを生成する頁データ生成手段を有し、前記格納先決定手段は、前記頁データ毎に対応する格納先を決定し、前記データ格納手段は、前記頁データ毎に対応する格納先に前記頁データを格納するように構成することができる。
【００１６】
また、上記目的を達成するために、本発明の通信装置は、さらに、前記埋込情報が、前記画像データの画像の領域毎に該領域の属性に係る情報を含む場合に、前記領域の属性に係る情報に基づき、前記画像データから所定の画像領域を抽出し、又は、前記画像データから所定の画像領域を削除する領域処理手段を有し、前記データ格納手段は、前記領域処理手段によって処理された画像データを格納するように構成することができる。
【００１７】
また、上記目的を達成するために、本発明の通信装置は、さらに、前記画像が所定の書式に基づく帳票画像であって、前記埋込情報が、前記帳票画像の記入領域毎の属性に係る情報を含む場合に、前記記入領域に対する入力を促す入力画面を生成する入力画面生成手段と、前記入力画面に基づき入力された情報を、前記帳票画像の前記記入領域に対応する位置に合成する入力合成手段と、を有し、前記データ格納手段は、前記入力合成手段によって合成処理された帳票画像の画像データを格納するように構成することができる。
【００１８】
また、上記目的を達成するために、本発明の通信装置は、さらに、前記画像データを、前記送信元に返信する返信手段を有する構成とすることができる。
【００１９】
また、上記目的を達成するために、本発明の通信装置は、さらに、前記返信手段が返信する画像データの画像を媒体上に形成し、又は、前記画像のプレビュー画面を生成する、確認画像生成手段を有するように構成することができる。
【００２０】
また、上記目的を達成するために、本発明の通信方法は、受信された画像データに含まれる埋込情報を取得する埋込情報取得ステップと、前記埋込情報に基づき、前記画像データの格納先を決定する格納先決定ステップと、前記格納先に前記画像データを格納するデータ格納ステップと、を有する構成とすることができる。
ように構成することができる。
【００２１】
また、上記目的を達成するために、本発明の通信方法は、さらに、画像データの送信元に係る情報と、前記格納先の識別情報とを対応づけて保持する格納先情報保持ステップを有し、前記埋込情報取得ステップにおいて、前記埋込情報から前記画像データの送信元に係る情報を取得し、前記格納先決定ステップにおいて、前記送信元に係る情報と前記格納先情報保持手段に保持されている情報とに基づいて前記格納先を決定するように構成することができる。
【００２２】
また、上記目的を達成するために、本発明の通信方法は、さらに、前記格納先が、ネットワークを介して接続された蓄積手段に設けられたフォルダの場合に、前記格納先決定ステップにおいて、前記埋込情報に基づき、前記画像データが前記フォルダに格納される際のファイル名を決定するファイル名決定ステップを有し、前記データ格納ステップにおいて、前記蓄積手段に対して前記画像データと前記ファイル名とを送信して格納するように構成することができる。
【００２３】
また、上記目的を達成するために、本発明のコンピュータプログラムは、コンピュータに、本発明の通信方法を実行させるコンピュータプログラムとして構成することができる。
【発明の効果】
【００２４】
本発明の通信装置、通信方法、及び、コンピュータプログラムによれば、受信された画像データに含まれる埋込情報に基づいて、画像データを所定の格納先に格納する通信装置、通信方法及びコンピュータプログラムを提供することが可能になる。
【発明を実施するための最良の形態】
【００２５】
以下、本発明の実施の形態を図面に基づき説明する。
〔第一の実施の形態〕
（本発明の一実施の形態の概略）
図１は、本発明の一実施の形態に係る通信装置を含む通信システムの例を説明する図である。図１では、ファクシミリ機能を有する複合機１と、ファクシミリ装置２と、蓄積装置３とを含んで構成されている。
【００２６】
複合機１は、ファクシミリ装置２からのファクシミリを受信する。複合機１は、さらに、ファクシミリ受信された画像データからバーコードの形態を有する埋込情報を取得して、その情報と複合機１が保持するアドレス帳の情報とを照合する。埋込情報に含まれていた送信元の情報が、アドレス帳の情報と照合された場合には、そのアドレス帳において送信元の情報と対応づけられている格納場所のパス名を取得し、その格納場所に、受信された画像データを格納する。
【００２７】
図１の例では、格納場所は、複合機１と接続された蓄積装置３に送信元毎に対応するフォルダとして設けられている。
【００２８】
この構成により、ファクシミリ受信された画像データが形成された用紙を、操作者が、例えば送信元毎に分類してファイリングする手間を省力することができる。
【００２９】
（本発明の一実施の形態に係る通信装置の機能構成の例）
図２は、本発明の一実施の形態に係る通信装置の機能構成の例の図である。図２の通信装置１００は、受信された画像データに含まれている埋込情報を取得し、その埋込情報に基づいて画像データの送信等の処理を行う。
【００３０】
通信装置１００は、例えば、埋込情報取得手段１１０、格納先決定手段１２０、データ格納手段１３１を有する。通信装置１００は、さらに、メール送信手段１３２、返信手段１３３、受信手段１３４、格納先情報保持手段１４０、画像処理手段１５０、画面生成手段１６０を有してもよい。
【００３１】
埋込情報取得手段１１０は、受信された画像データに含まれる埋込情報を取得する手段である。埋込情報は、例えば、バーコード等の符号の形態を有している。埋込情報取得手段１１０は、画像データの中の予め定められている所定の位置から、バーコード等を取得してこれを復号することにより、埋込情報を取得する。埋込情報取得手段１１０は、また例えば、バーコード等に含まれている所定のマークを検出することにより、バーコードの位置を検出し、そのバーコードの画像から埋込情報を取得する。
【００３２】
埋込情報取得手段１１０によって取得される埋込情報は、例えば、受信された画像データの送信元に係る情報、又は、画像データの受信者に対するメッセージ情報等である。
【００３３】
埋込情報取得手段１１０は、メッセージ情報取得手段１１１を有してもよい。メッセージ情報取得手段１１１は、埋込情報に画像データの送信先に対するメッセージ情報が含まれている場合に、そのメッセージ情報を取得する手段である。メッセージ情報とは、例えば、「至急」、「要返信」等の情報である。
【００３４】
格納先決定手段１２０は、埋込情報取得手段１１０によって取得された埋込情報に基づいて、受信された画像データの格納先を決定する。格納先決定手段１２０は、例えば、画像データの送信者毎に対応する蓄積手段に設けられたフォルダを、その画像データの格納先とする。これにより、送信者毎に対応するフォルダに、画像データを格納することができる。格納先決定手段１２０は、後述する格納先情報保持手段１４０から、埋込情報に対応する格納先の識別情報を取得してもよい。
【００３５】
格納先決定手段１２０は、また例えば、埋込情報が取得されなかった場合や、埋込情報に対応する格納先が定められていない場合には、予め定められたエラー用の格納先を、その画像データの格納先としてもよい。格納先決定手段１２０が決定する格納先は、また例えば、メールアドレスの形態を有してもよく、その場合には、画像データをメールに添付する等して送信する。
【００３６】
格納先決定手段１２０は、また例えば、ファイル名決定手段１２１を有してもよい。ファイル名決定手段１２１は、格納先が蓄積手段に設けられたフォルダの場合に、そのフォルダに画像データが格納される際のファイル名を決定する。ファイル名決定手段１２１は、その画像データの送信者、受信者、又は、受信日時に係る情報を含むファイル名を生成し、画像データのファイル名としてもよい。
【００３７】
データ格納手段１３０は、受信された画像データを格納先決定手段１２０によって決定された格納先に格納する。データ格納手段１３０は、また例えば、画像処理手段１５０によって処理された画像データを送信してもよい。データ格納手段１３０は、ＦＴＰやＨＴＴＰ等の通信プロトコルによって画像データの送信を行う。
【００３８】
メール送信手段１３２は、例えば、受信された画像データを、所定のメールアドレスに対してメールとして送信する。なお、メールとして送信する場合には、その画像データを添付ファイルとして送信してもよく、また、その画像データをテキストデータに変換した後に、そのテキストデータをメールの本文として送信してもよい。
【００３９】
メール送信手段１３２は、また例えば、メッセージ情報取得手段１１１によってメッセージ情報が取得された場合に、画像データの宛先である「受信者」のメールアドレスに対して、所定の書式のメールを送信してもよい。これにより、例えば「至急」又は「要返信」等のメッセージ情報が埋込情報から取得された場合に、そのメッセージ情報を好適に画像データの宛先である受信者に対して通知することができる。なお、宛先に対応するメールアドレスは、例えば、埋込情報に含まれていてもよく、また例えば、格納先情報保持手段１４０等に格納先情報と共に保持されてもよい。
【００４０】
返信手段１３３は、受信された画像データの送信元に対し、返信用の画像データを送信する手段である。返信用の画像データは、例えば、画像処理手段１５０によって処理され生成される画像データである。
【００４１】
受信手段１３４は、送信元からの画像データを受信する手段である。本発明の一実施の形態における通信装置１００が有する他の手段は、例えば、受信手段１３４によって受信された画像データに基づいて、それぞれの機能を実現する。
【００４２】
なお、データ格納手段１３１、メール送信手段１３２、返信手段１３３、及び、受信手段１３４は、一の通信手段として構成されてもよい。
【００４３】
格納先情報保持手段１４０は、画像データの送信元に係る情報と、その画像データの格納先の識別情報とを対応づけて保持する手段である。送信元に係る情報とは、例えば、送信者の氏名、その画像データの送信元のファクシミリのファクシミリ番号、又は、その画像データの送信元のパーソナルコンピュータの識別情報等である。また、格納先の識別情報とは、例えば、その画像データが格納されるべき蓄積手段に設けられたフォルダへのパス名、送信先のメールアドレス、又は、送信先のファクシミリ番号等である。
【００４４】
画像処理手段１５０は、受信された画像データに対する画像処理を行う。画像処理手段１５０は、例えば、埋込情報が画像処理に係る情報を含む場合に、その情報に基づいて画像処理を行ってもよい。画像データ処理手段１５０は、例えば、領域処理手段１５１、入力合成手段１５２、及び、頁データ生成手段１５３を有する。
【００４５】
領域処理手段１５１は、埋込情報に基づいて、画像データの画像の所定の領域を削除し、又は、画像データの所定の領域を抽出する。領域処理手段１５１は、例えば、埋込情報が含まれているバーコードの領域を削除することにより、その画像を閲覧する者にとって不要な画像が含まれていない画像データを生成する。領域処理手段１５１は、また例えば、画像の中で、閲覧する者にとって必要となる画像の領域に対応する画像データを抽出して新たな画像データとしてもよい。
【００４６】
入力合成手段１５２は、受信された画像データが帳票画像の画像データであって、埋込情報にその帳票の記入領域に係る情報が含まれている場合に、その記入領域に対応して入力等された情報の画像を合成する。なお、記入領域に対応して入力等されるとは、例えば、後述する入力画面生成手段１６１によって生成された記入領域に対する入力を促す画面に基づいて、操作者によって情報が入力されることである。操作者によって入力される情報は、文字による情報の他に、例えば、操作者が「承認」又は「押印」等の指定に係る情報でもよい。入力合成手段１５２は、この指定に係る情報に基づき、記入領域に印鑑等の画像を合成する。
【００４７】
また、記入領域に係る情報とは、例えば、記入領域の属性に係る情報であって、その記入領域の画像内での位置情報、その記入領域に記入されるべき情報が、文字なのかマークなのか等の種類の情報等である。
【００４８】
頁データ生成手段１５３は、受信された画像データが複数頁の画像から構成される場合に、頁毎の画像データである頁データを生成する。
【００４９】
画面生成手段１６０は、例えば、通信装置１００が有する図示しない表示手段、又は、通信装置１００にネットワーク等を介して接続された他の装置によって制御される表示手段等に表示する画面を生成する。画面生成手段１６０は、例えば、入力画面生成手段１６１、及び、確認画面生成手段１６２を有する。
【００５０】
入力画面生成手段１６１は、操作者に対して入力を促す各種の画面を生成する。入力画面生成手段１６１は、例えば、帳票画像の画像データが受信され、埋込情報にその帳票画像の記入領域に係る情報が含まれている場合に、その記入領域に対する入力を促す画面を生成する。
【００５１】
確認画面生成手段１６２は、画像処理手段１５０によって処理された後の画像データの画像を確認する画面を生成する手段である。確認画面生成手段１６２は、また、受信された画像データの画像を確認する画面を生成してもよい。画像を確認する画面は、例えば、通信装置１００等によって制御される図示しない表示手段に表示される。画像を確認する画面は、また例えば、通信装置１００等によって制御される画像形成手段により媒体上に形成されてもよい。
【００５２】
確認画面生成手段１６２は、また例えば、画像処理手段１５０によって処理された後の画像のプレビュー画面を生成してもよい。これにより、操作者がそのプレビュー画面を確認した後に、画像処理手段１５０によって画像データを処理することができ、操作者の意図する画像を生成することができ、また画像処理の誤りを低減することができる。
【００５３】
（ファクシミリ装置として構成される通信装置の例）
図３は、本発明の一実施の形態に係る通信装置を、ファクシミリ装置として実現する場合の装置構成の例を説明する図である。本発明の実施形態は、ファクシミリ装置に限らず、画像データを受信した後に所定の格納場所に格納する通信装置であればよいが、ファクシミリ装置のように一般に受信された画像データを紙面上に形成して保存される通信装置において、紙面に形成することに代えて効率よく蓄積装置に格納する機能を実現する。
【００５４】
図３のファクシミリ装置１０は、画像読取部１２と、画像処理部１４と、送信用バッファメモリ１６と、符号化復号部１８と、モデム２０と、網制御部２２と、電話機２４と、操作・表示部２６と、システム制御部（System Control Unit：ＳＣＵ）２８と、送信関連用情報記憶部３０と、キャラクタジェネレータ３２と、受信用バッファメモリ３４と、記録制御部３６と、画像記録部３８と、アプリケーション部４０と、ＮＩＣ（Network Interface Card）４２とを有する。なお、図３に示した白抜矢印は、画像データのデータフローを示している。
【００５５】
操作・表示部２６は、オペレータからの指示を受領するための入力キーと、入力キーによる入力情報やメッセージや操作メニュー画面などを表示するディスプレイ装置を備え、ファクシミリ装置１０が備える機能をユーザに提供している。本実施形態では、入力キーとして、ファクシミリ送信の宛先情報を入力するテンキーや、オペレータからのファックス送信の開始指示を受け付ける「スタートキー」の他に、「ＯＫキー」、「ＮＧキー」、「中止キー」、又は、文字を入力するためのソフトウェアキーボード等を含んでよい。
【００５６】
画像読取部１２は、例えば、送信用原稿Ｐ上の画像を光学的に読取るスキャナ等の画像入力手段として構成され、例えば操作・表示部２６の「スタートキー」が押下され、オペレータからのファックス送信の開始指示を受けて、画像読取処理を開始する。画像読取部１２によって原稿から読み取られて取得された画像信号は、画像処理部１４によって補正などの画像処理が施され、画像データに変換される。なお、画像処理部１４によって変換される画像データは、白黒２値の画像データでもよい。画像処理が施された画像データは、１ラインあるいは複数ラインのメモリから構成される送信用バッファメモリ１６に一時的に格納される。
【００５７】
符号化復号部１８は、白黒２値の画像データから、ＭＨ（Modified Huffman）、ＭＲ（Modified READ：Relative Element Address Designate）、ＭＭＲ（Modified Modified READ）ＪＢＩＧ（Joint Bi-level Image experts Group）等のファクシミリ通信用の符号化データへの符号化処理、又は、その符号化処理が行われた符号化データを復号する復号処理を実行する。符号化復号部１８は、送信用バッファメモリ１６から送信用の画像データを読出して外部装置へ送信するために符号化処理、すなわち圧縮処理を実行し、また外部装置から受信した符号化データを復号処理し、白黒２値の画像データを受信用バッファメモリ３４へ一時的に格納する。
【００５８】
モデム２０は、送信用に圧縮された符号化データを所定の方式により伝送信号に変調し、又は受信した伝送信号を復調する変復調処理を行なう。網制御部２２は、電話回線との接続制御などの公衆回線制御処理を実行し、電話機２４を使用し所定のファクシミリ伝送手順に従って、相手の通信装置との間で電話回線を介した通信を制御する。
【００５９】
電話機２４は、音声信号として相手の通信装置と電話回線を介した通信を行なう。なお、モデム２０における変調方式や、ファクシミリ伝送手順や、接続する使用回線の種類は、例えば、ＩＴＵ−Ｔ勧告に規定されるＧ３規格やＧ４規格などのファクシミリ通信規格に定められたものを使用してよい。
【００６０】
記録制御部３６は、受信用バッファメモリ３４に書込まれた画像データを読出し、画像記録部３８を制御して、受信した画像データを記録用紙上に可視画像として記録させる。画像記録部３８は、例えば、プロッタなどの画像記録手段として構成される。なお、受信用バッファメモリ３４と、送信用バッファメモリ１６とは、一のメモリとして構成されてもよく、また、受信用バッファメモリ３４と送信用バッファメモリ１６とが異なるメモリであってその構成が同一であってもよい。
【００６１】
アプリケーション部４０は、ファクシミリ送受信機能と転送機能とを実現させるための機能実現手段である。なお、ファクシミリ送受信機能とは、画像読取部１２に送信用原稿Ｐを読取らせて取得した送信用の画像データを、符号化復号部１８やモデム２０等によって外部のファクシミリ装置へ送信するファクシミリ送信、および外部のファクシミリ装置から伝送された情報をモデム２０等により受信して、取得した受信画像データを記録制御部３６によって記録用紙上に記録させるファクシミリ受信を含む機能をいう。ファクシミリ受信機能は、さらに、外部のファクシミリ装置から伝送された情報をモデム２０等により受信し、取得した受信画像データを所定の記録手段に格納する機能を含んでよい。
【００６２】
転送とは、画像読取部１２が受信した画像データ、又は、画像読取部１２が読み取って取得した画像データを、図示しないコンピュータやサーバなどの外部の蓄積装置に伝送する機能のことである。ＮＩＣ４２は、ローカル・エリア・ネットワーク（ＬＡＮ）などのネットワークに接続し、蓄積装置（サーバ）との間の通信を実行する。転送の際には、ＨＴＴＰやＦＴＰなどの所定の通信プロトコルを使用して、画像データ（電子ファイル）が伝送される。
【００６３】
送信関連用情報記憶部３０は、送信元情報と、送信元転送用フォルダ登録情報と、受信用原稿Ｐに印刷されたバーコードを認識するための情報、送信または受信時に使用されるパラメータ設定などを格納する不揮発性メモリとして構成される。なお、送信元転送用フォルダ登録情報には、少なくとも１つの送信元情報が登録され、送信元情報には、ＦＡＸ番号、顧客番号、ＦＡＸ番号等と関連付けられている送信元転送用フォルダのパス名、すなわち、外部の蓄積装置上のフォルダのパス名等が含まれる。
【００６４】
バーコードを認識するための情報とは、例えば、ファクシミリ受信された画像データが複数頁の画像からなる場合には、１頁目の画像の画像データである頁データに対してバーコード認識処理を行って、取得された送信元情報に基づいて、頁毎に送信元転送用フォルダのパス名を決定するのか、または全頁の頁データに対して一の送信元転送用フォルダのパス名を決定するのか、または１頁毎にバーコードの認識処理を行って取得された埋込情報に基づいて、送信元転送用フォルダのパス名を決定するのか等の属性情報を含む。
【００６５】
送信関連用情報記憶部３０は、また、バーコードに「至急」などのメッセージ情報が含まれている場合に、管理者に対して緊急であるということを知らせるためのメールを送る際の管理者のメールアドレス情報を保持してもよい。送信関連用情報記憶部３０は、また、画像を必要な部分だけ切り出す処理をするか否かの設定情報を保持してもよい。
【００６６】
また、操作・表示部２６を介して操作者より入力された文字を、画像処理部１４で画像データの該当する箇所に埋め込んでもよい。さらには電子印鑑が必要な場合には、画像処理部１４で画像データの該当する箇所に印鑑の画像を付加することにより「押印」の処理を行ってもよい。
【００６７】
システム制御部（以下、「ＳＣＵ」という。）２８は、各種演算を実行する図示しないＣＰＵと、各種制御プログラムを記憶する図示しないＲＯＭと、ＣＰＵの作業メモリ領域を提供する図示しないＲＡＭとを含み構成され、ファクシミリ装置１０のシステム全体を制御している。ＣＰＵの制御により、ＲＯＭ等に格納された図示しないコンピュータプログラムがＲＡＭのメモリ領域に展開され、符号化復号部１８、モデム２０、網制御部２２、操作・表示部２６、送信関連用情報記憶部３０等が制御され、上述したファックス送受信、転送、バーコード認識、不要な画像領域消去処理などの機能が実現される。
【００６８】
本発明の一実施の形態に係るファクシミリ装置１０が使用するＣＰＵとしては、例えば、ＰＥＮＴＩＵＭ（登録商標）〜ＰＥＮＴＩＵＭ（登録商標）ＩＶ、ＰＥＮＴＩＵＭ（登録商標）互換ＣＰＵ、ＰＯＷＥＲ  ＰＣ（登録商標）、ＭＩＰＳやその他の適切なＣＰＵなどを採用してよい。
【００６９】
なお、本実施の形態では、白黒２値の画像データを使用したファクシミリ通信を例に説明したが、この他の実施形態では、ＪＰＥＧ（Joint Photographic Experts Group）、ＪＢＩＧ、ＭＲＣ（Mixed Raster Content）等のカラーファクシミリ通信に対応した符号化方式を使用して、カラー画像を送受信する構成でもよい。
【００７０】
また、本発明の実施の形態において、バーコード形式としては、ＪＡＮ（Japan Article Number）、ＵＰＣ（Universal Product Code）、ＥＡＮ（European Article Number）、ＩＴＦ（Interleaved Two of Five）やＣＯＤＥ３９、ＱＲコードなど種々の形式を採用してよく、用途に応じてバーコード形式が設定され、形式に応じてバーコードは、数字のみ、又はアルファベットと数字と記号を示す。またバーコードを読み取ることに代えて、所定のマークを読み取るＯＭＲ処理を行ってもよい。
【００７１】
例えば、数字列によって表現されるＦＡＸ番号については、数字のみを表現できるバーコードを用い、アルファベットや記号を含む「顧客番号」等は、アルファベットと数字と記号を表現することができるバーコードを用いる。さらに、それらのバーコードの形式を設定することにより、誤って「顧客番号」を「返信用ＦＡＸ番号」として認識してしまい、誤発信することを好適に低減させることができる。
【００７２】
（本実施形態のファクシミリ装置１０により処理の例のフロー）
図４から図１０は、本実施形態のファクシミリ装置１０又は通信装置１００等が実行する、バーコードを認識して送信元毎に対応するフォルダ等に振り分け転送する処理の例のフロー等の図である。
【００７３】
図４は、本実施形態の通信装置１００が実行する、ファクシミリ受信の処理の例のフロー図である。図４は、例えば、取引先から送信されるファクシミリ画像を処理する例のフローであって、取引先には予めバーコードの画像が配布されている。なお、バーコードの画像の配布とは、例えば、バーコード付き原稿の注文書等の書式を配布することによって実現されてよい。
【００７４】
図４のステップＳ１０１では、取引先等の送信者によって必要事項が記入された注文書等のバーコード付き原稿の画像の画像データがＦＡＸ送信される。ステップＳ１０１に続いてステップＳ１０２に進み、通信装置１００が有するファクシミリ機能によってその画像データが受信され、埋込情報取得手段１１０が、バーコードの検出処理を行う。
【００７５】
ステップＳ１０２に続いてステップＳ１０３に進み、埋込情報取得手段１１０によって画像データからバーコードが検出された場合にはステップＳ１０４に進み、検出されない場合には、ステップＳ１０７に進む。ステップＳ１０３に続くステップＳ１０４では、埋込情報取得手段１１０が、そのバーコードに含まれている埋込情報の有無を判断し、埋込情報が取得された場合には、ステップＳ１０５に進み、埋込情報が取得されない場合には、ステップＳ１０７に進む。
【００７６】
ステップＳ１０４に続くステップＳ１０５では、格納先決定手段１２０が、格納先情報保持手段１４０に保持されるアドレス帳の情報と、埋込情報から取得された送信元の情報との照合を行う。アドレス帳には、例えば、取引先に係る情報が登録されている。取引先に係る情報とは、例えば、取引先名称、取引先のＦＡＸ番号、顧客番号、及び、受信した画像データの転送先パス名等である。
【００７７】
図５は、アドレス帳に格納されている情報の例を説明する図である。図５では、取引先の識別情報、取引先の名称、及び、取引先のファクシミリ番号が、受信した画像データを格納するフォルダのパス名と対応づけられている。
【００７８】
図４に戻り、ステップＳ１０５に続いてステップＳ１０６に進み、ステップＳ１０５においてアドレス帳との照合処理に成功したか否かの判断を行う。照合処理に成功した場合には、ステップＳ１０８に進み、照合処理に失敗した場合には、ステップＳ１０７に進む。
【００７９】
ステップＳ１０６に続くステップＳ１０８では、格納先決定手段１２０が、ステップＳ１０５で照合されたアドレス帳の情報に基づき、転送先パス名を取得する。より詳細には、格納先決定手段１２０は、埋込情報として取得されたＦＡＸ番号または顧客番号などから一致するものをアドレス帳から探しだし、一致したレコードにおける転送先パス名を取得する。
【００８０】
ステップＳ１０８に続いてステップＳ１０９に進み、ファイル名決定手段１２１が、画像データのファイル名を決定する。ファイル名決定手段１２１は、例えば、画像データが受信された日時とアドレス帳に登録されている情報とに基づいて、ファイル名を決定する。
【００８１】
ファイル名は、例えば、次の（１）から（６）の手順により決定される。
（１）  画像データを、２００７年４月２３日１０時００分００秒に受信する。
（２）  埋込情報取得手段１１０が、受信された画像データの中からバーコードを検出して埋込情報を取得する。ここでは、送信元のファクシミリ番号「０３ＸＸＸＸＸＸＸＸ」が取得される。
（３）  格納先決定手段１２０が、格納先情報保持手段１４０が保持するアドレス帳に風くまれているファクシミリ番号の情報から、「０３ＸＸＸＸＸＸＸＸ」に一致するレコードを検索する。
（４）  格納先決定手段１２０が、アドレス帳においてファクシミリ番号「０３ＸＸＸＸＸＸＸＸ」を有するレコードの名前情報を取得する。ここでは、例えば「Ａ社」が取得される。
（５）  格納先決定手段１２０が、アドレス帳においてファクシミリ番号「０３ＸＸＸＸＸＸＸＸ」を有するレコードの「パス名」情報を取得する。ここでは、例えば「注文書／Ａ社」が取得される。
（６）  ファイル名決定手段１２１が、画像データのファイル名を、（４）で取得された名前情報と、（１）の受信時刻とに基づいて、「Ａ社＿２００７０４２３１０００００．ｐｄｆ」とし、格納先決定手段１２０が、画像データの格納先を所定の蓄積装置上の「注文書／Ａ社」フォルダとする。
【００８２】
一方、ステップＳ１０４又はステップＳ１０６に続くステップＳ１０７では、格納先決定手段１２０が、バーコードが検出されない場合や、バーコードの認識に失敗した場合のパス名を決定する。アドレス帳には、バーコードが検出されない場合に対応する情報として、「Ｏｔｈｅｒ」フォルダ等の転送先パス名、又は、バーコードの認識に失敗した場合の情報として、「ＢａｒＣｏｄｅ  Ｅｒｒｏｒ」フォルダ等の転送先パス名が登録されている。これにより、バーコードが検出されない場合や、バーコードの認識に失敗した場合に、その画像データを転送する転送先のパス名を定めることができる。
【００８３】
格納先決定手段１２０は、また、埋込情報に対応するＦＡＸ番号や顧客番号等が無くアドレス帳の照合に失敗した場合には、例えば、「Ａｄｄｒｅｓｓ  Ｅｒｒｏｒ」フォルダのパス名を、転送先のパス名として設定する。
【００８４】
ステップＳ１０７に続くステップＳ１１１では、ファイル名決定手段１２１が、アドレス帳の照合に失敗した場合のファイル名を決定する。ファイル名決定手段１２１は、例えば、受信日時とエラー状況によりファイル名を決定してもよい。例えば「照合エラー_２００７０１２９１２００.pdf」のように、エラー状態と日時とを含むファイル名でもよい。
【００８５】
ステップＳ１０９又はステップＳ１１１に続くステップＳ１１０では、データ格納手段１３１が、ステップＳ１０９又はステップＳ１１１までに決定されたパス名、及び、ファイル名に基づいて、受信された画像データをそれらのパス名等によって識別される格納先に送信し、格納させる。
【００８６】
（バーコードにメッセージ情報が含まれている場合の処理）
図６は、バーコードにメッセージ情報が含まれている場合に、そのメッセージ情報に基づく処理の例のフロー図である。図６のステップＳ２０１では、受信された画像データからバーコードが検出され、そのバーコードに含まれている埋込情報の取得が行われる。この処理は、例えば、図４のステップＳ１０１からステップＳ１０４の処理と同一でもよい。
【００８７】
ステップＳ２０１に続いてステップＳ２０２に進み、埋込情報取得手段１１０が、ステップＳ２０１で取得された埋込情報にメッセージ情報が含まれているか否かを判断する。なお、図中「状態」とは、「メッセージ情報によって表される状態」のことを言い、例えば「至急」、「要返信」等の情報をいう。メッセージ情報が含まれている場合には、ステップＳ２０３に進み、メッセージ情報が含まれていない場合には、ステップＳ２０４に進む。
【００８８】
ステップＳ２０２に続くステップＳ２０３では、メール送信手段１３２が、例えば格納先情報保持手段１４０に保持されているメールの書式に基づいて、送信するメールを生成して送信する。なお、メールの送信先は、図示しない記憶手段等に予め登録された「管理者」又はファクシミリの送信先である「担当者」等に対応するメールアドレスである。これらのメールアドレスは、予め設定され保持されていてもよく、また、埋込情報にふくまれていてもよい。また、メールの書式は、図示しない記憶手段に予め保持されてもよく、メッセージ情報の種類毎に対応して異なる書式でもよい。
【００８９】
ステップＳ２０２又はステップＳ２０３に続くステップＳ２０４では、ファクシミリ受信された画像データを、所定の格納先に格納する処理を行う。なお、ステップＳ２０４の処理は、例えば、図４のステップＳ１０５からステップＳ１１０の処理と同一であるので、ここでは説明を省略する。
【００９０】
（頁毎にバーコードを有する画像データを処理する例）
図７は、複数頁からなる画像データであって、頁毎にバーコードを有する画像データを処理する例のフロー図である。図７のステップＳ３０１では、受信された画像データの最初の頁からバーコードが検出され、そのバーコードに含まれている埋込情報の取得が行われる。この処理は、例えば、図４のステップＳ１０１からステップＳ１０４の処理と同一でもよい。
【００９１】
ステップＳ３０１に続いてステップＳ３０２に進み、埋込情報取得手段１１０が、取得された埋込情報を解析することにより、頁毎にバーコードが含まれていることを表す情報が含まれているか否かを判断する。頁毎にバーコードが含まれている場合にはステップＳ３０３に進み、含まれていない場合にはステップＳ３０４に進む。
【００９２】
ステップＳ３０２に続くステップＳ３０３では、埋込情報取得手段１１０が、画像データに含まれる頁毎にバーコードを取得して、埋込情報を取得する。
【００９３】
ステップＳ３０２又はステップＳ３０３に続くステップＳ３０４では、取得された埋込情報に基づいて、画像データを格納先に格納する処理を行う。なお、ステップＳ３０３で頁毎のバーコードから埋込情報を取得し、さらにその埋込情報により頁毎に格納先が異なる場合には、頁データ生成手段１５３が、画像データから頁毎に対応する頁データを生成し、データ格納手段１３１はその頁データ毎に対応する格納先に格納する。
【００９４】
（最初の頁のバーコードに基づいて処理を行う例）
図８は、複数頁からなる画像データを、最初の頁に含まれているバーコードの埋込情報に基づいて処理する例のフロー図である。図８のステップＳ４０１では、埋込情報取得手段１１０が、最初の頁のバーコードを取得して埋込情報を取得し、さらに、予め設定され保持されているバーコードの処理に係る設定情報に基づき、最初の頁のバーコードに基づいて画像データの処理を行うのか、頁毎のバーコードに基づいて画像データの処理を行うのかの判断をする。
【００９５】
なお、バーコードの処理の設定は、例えば、最初の頁のバーコードに基づいて処理を行う、又は、頁毎のバーコードに基づいて処理を行う、の他に、所定の頁数毎のバーコードに基づいて処理を行う、又は、バーコードが含まれている頁を検出して処理を行う、等でもよい。
【００９６】
最初の頁のバーコードに基づいて画像データの処理を行う場合には、ステップＳ４０３に進み、次頁以降のバーコードに基づいて画像データの処理を行う場合には、ステップＳ４０２に進む。ステップＳ４０２では、埋込情報取得手段１１０が、画像データの次頁以降からバーコードを検出して埋込情報を取得する。
【００９７】
ステップＳ４０１又はステップＳ４０２に続くステップＳ４０３では、取得された埋込情報に基づいて、格納先が決定されて画像データが格納される。なお、ステップＳ４０２において頁毎、所定の頁数毎、又は、バーコードを含む頁毎にバーコードが検出された場合には、それらのバーコードから取得された埋込情報に基づいて、格納先が決定され、画像データが格納される。
【００９８】
（画像データの中から所定の領域を抽出する処理の例）
図９は、受信された画像データの中から操作者にとって不要となる領域の画像を削除する処理を行う例のフロー図である。図９のステップＳ５０１では、埋込情報取得手段１１０が、最初の頁のバーコードを検出してそのバーコードから埋込情報を取得する。ステップＳ５０１に続いてステップＳ５０２に進み、埋込情報取得手段１１０が、取得された埋込情報の中に、画像に含まれる領域のうち、所定の領域を切り出すことが指定されているか否かを判断する。所定の領域を切り出すことが指定されている場合には、ステップＳ５０３に進み、指定されていない場合には、ステップＳ５０７に進む。
【００９９】
ステップＳ５０２に続くステップＳ５０３では、領域処理手段１５１が、埋込情報に含まれる領域に係る情報に基づいて、画像データの中から所定の領域を切り出して新たな画像データを生成する。この新たな画像データを「領域データ」という。
【０１００】
ステップＳ５０３に続いてステップＳ５０４に進み、領域処理手段１５１が、ステップＳ５０３で切り出された領域データの領域が、必要な領域であるか否かを判断する。この判断は、領域に係る情報に基づいてよい。必要な領域である場合には、ステップＳ５０６に進み、必要な領域では無い場合には、ステップＳ５０５に進む。
【０１０１】
ステップＳ５０４に続くステップＳ５０５では、領域処理手段１５１が、ステップＳ５０３で取得された領域の領域データを、例えば全て白画素によって構成される領域データに変換することにより、その領域の画像の削除を行う。
【０１０２】
図１０は、領域データを切り出す処理を説明する図である。図１０では、埋込情報に含まれる領域に係る情報が示されている。図１０の画像は、振替票を読み取った画像データである。
【０１０３】
領域に係る情報は、座標（０，０）から座標（１００，１００）までの矩形領域が「払込取扱票」、座標（１００，０）から座標（１４０、１００）までの矩形領域が「お客様控え」であることを表す領域の「位置」とその領域の「内容」、さらに、その領域が「必要」な領域か「不要」な領域かを表す「属性」というが含まれる。
【０１０４】
図１０では、例えば、「払込取扱票」が「必要」な領域であり、「お客様控え」が「不要」な領域であることを表す情報が含まれている。そこで、領域処理手段１５１は、図１０の画像データから「払込取扱票」の領域の領域データを取得する。
【０１０５】
図９に戻り、ステップＳ５０２、ステップＳ５０４、又は、ステップＳ５０５に続くステップＳ５０６では、画像データを格納先に格納する。なお、ステップＳ５０６の処理は、図６のステップＳ２０４の処理と同一であるので、ここでは説明を省略する。
【０１０６】
なお、図９のステップＳ５０３からステップＳ５０５の処理に代えて、領域処理手段１５１が、埋込情報に含まれる領域に係る情報に基づいて、属性が「必要」である領域の領域データを切り出すことにより、その領域データを含み、かつ、属性が「不要」である領域の領域データを含まない画像データを生成してもよい。
【０１０７】
（返信処理を行う例）
図１１は、ＦＡＸによる返信処理を行う例のフロー図である。図１１では、受信された画像データが帳票画像の画像データであり、帳票の領域に対して、文字埋め込み処理、電子印鑑処理、又は、画像切り出し処理等の画像処理を行った後に、その帳票画像をファクシミリにより返信する。
【０１０８】
図１１のステップＳ６０１では、埋込情報取得手段１１０が、受信された画像データに含まれるバーコードを検出してそのバーコードから埋込情報を取得する。ステップＳ６０１に続いてステップＳ６０２に進み、埋込情報取得手段１１０が、ステップＳ６０１で取得された埋込情報に「メッセージ情報」が含まれているか否かを判断する。メッセージ情報が含まれている場合にはステップＳ６０３に進み、含まれていない場合にはステップＳ６０５に進む。
【０１０９】
ステップＳ６０２に続くステップＳ６０３では、メール送信手段１３２が、担当者のメールアドレスに対してメッセージ情報に対応するメールの書式により、メールを送信する。なお、担当者とは、例えば、受信されたファクシミリ情報の宛先の者である。メールの書式、及び、担当者のメールアドレス等を含む「メールデータ」は、例えば、格納先情報保持手段１４０によって保持されてもよい。
【０１１０】
ステップＳ６０３に続いてステップＳ６０４に進み、担当者が図示しないパネルから「ファクシミリ受信」の指示を入力することに基づき、通信装置１００がファクシミリを受信する。なお、パネルは、例えば、図３の通信装置１０が有する操作・表示部２６に対応する。
【０１１１】
ステップＳ６０２又はステップＳ６０４に続くステップＳ６０５では、埋込情報取得手段１１０が、ステップＳ６０１で取得された埋込情報に、「要返信」等のファクシミリによる返信を促すメッセージ情報が含まれているか否かを判断する。返信を促すメッセージ情報が含まれている場合にはステップＳ６０６に進み、含まれていない場合にはステップＳ６１２に進む。
【０１１２】
ステップＳ６０５に続くステップＳ６０６では、画像処理手段１５０が、画像処理が必要か否かを判断する。画像処理とは、例えば、必要な領域の画像の抽出処理、押印されたことを表す印鑑画像を付加する処理、又は、記入領域に対して入力される情報を合成する処理、等である。画像処理が必要な場合にはステップＳ６０７に進み、画像処理が不要な場合にはステップＳ６０９に進む。
【０１１３】
ステップＳ６０６に続くステップＳ６０７では、入力画面生成手段１６１が、例えば、記入領域に対する入力を促す画面を生成し、図示しない表示手段に表示する。ステップＳ６０７で生成される画面は、また、受信された画像データの中の抽出する領域の指定の入力を促す画面でもよく、また例えば、押印処理の指示の入力を促す画面でもよい。これらの画面のうち、何れの画面を生成するかは、埋込情報に基づいてよい。また、画面に用いられる画像等のデータは、予めパネル表示データＤ６０７として保持されてもよい。
【０１１４】
ステップＳ６０７に続いてステップＳ６０８に進み、画像処理手段１５０が、ステップＳ６０７で生成された画面が表示されることにより、操作者によって入力された指示に基づいて、画像処理を行う。画像処理手段１５０が行う処理は、例えば、領域処理手段１５１による、必要な領域の領域データの抽出、又は、入力合成手段１５２による、記入領域への文字又は印影等の合成処理等である。
【０１１５】
ステップＳ６０８又はステップＳ６０６に続くステップＳ６０９では、確認画面生成手段１６２が、ステップＳ６０８で画像処理された画像データ等を、ファクシミリにより返信する前に確認するか否かの入力を促す画面を生成し、この画面が表示されることにより、操作者によって入力された確認の指示の有無が判断される。操作者によって確認することが選択された場合には、ステップＳ６１０に進み、確認しない場合には、ステップＳ６１２に進む。
【０１１６】
ステップＳ６０９に続くステップＳ６１０では、確認画面生成手段１６２が、ステップＳ６０８で画像処理されることにより生成された返信画像の確認画面を生成する。確認画面は、例えば、プレビュー画面として、通信装置１００が有する図示しない表示手段に表示されてもよい。確認画面生成手段１６２は、また例えば、返信画像を媒体上に形成させることにより、操作者が印刷された返信画像を確認できるようにしてもよい。
【０１１７】
ステップＳ６１０に続いてステップＳ６１１に進み、返信手段１３３が、返信画像の画像データをファクシミリにより、受信された画像データの送信元に送信する。これらの処理により、ファクシミリにより受信された画像データが媒体上に形成されることなく、ファクシミリによる返信を行うことができる。
【０１１８】
なお、返信先のファクシミリ番号は、埋込情報から取得されたファクシミリ番号でもよく、また操作者によって入力されるファクシミリ番号でもよく、また予めアドレス帳等に格納されているファクシミリ番号でもよい。
【０１１９】
ステップＳ６１１等に続くステップＳ６１２では、受信された画像データが格納先に送信され格納される処理が行われる。なお、ここで格納される画像データは、例えば、画像処理手段１５０によって処理された後の画像データでもよい。またさらに、画像処理手段１５０によって、返信用の画像データと異なる格納用の画像データが生成された場合には、その格納用の画像データでもよい。
【０１２０】
（コンピュータの構成）
図１２は、本実施形態の通信装置を実現するコンピュータの構成図である。図１２のコンピュータは、主処理部４００、入力デバイス４１０、表示装置４２０、プリンタ４３０、スキャナ４４０、通信部４５０、及び、ＨＤＤ４９０が、バス等を介して接続されている。主処理部４００は、コンピュータの機能を実現する主たる部分であり、ＣＰＵ４０１、ＲＯＭ４０８、及び、ＲＡＭ４０９を有する。ＣＰＵ４０１は、コンピュータプログラムをＲＯＭ４０８等から読み出し、ＲＡＭ４０９に展開することにより、本発明の実施の形態に係るコンピュータプログラムを実行する。ＲＯＭ４０８は不揮発性のメモリであり、コンピュータプログラム等のＣＰＵ４０１によって実行されるプログラム、及び、通信装置の制御に必要なパラメータ等を保持する。ＲＡＭ４０９は、ＣＰＵ４０１が処理を行う際の、ワークメモリである。
【０１２１】
入力デバイス４１０は、例えば、キーボード等であり、操作者が指示の入力を行う際に使用する。表示装置４２０は、コンピュータの状態等の表示を行う。プリンタ４３０は、画像を媒体に形成して出力する装置であり、スキャナ４４０は、媒体上に形成された画像を光学的に読み取る装置である。通信部４５０は、ファクシミリ通信、又は、ネットワークを介した他の装置との通信を行う。ＨＤＤ４９０は、画像のデータ等の大容量のデータを格納する。
【０１２２】
本発明の実施の形態に係るコンピュータプログラムは、ＨＤＤ４９０、又は、ＲＯＭ４０８に格納される他に、その他図示しないドライブ装置に挿入可能な記録媒体に格納されていてもよい。
【０１２３】
以上、説明したように、本発明の一実施の形態によれば、以下の効果がある。
・ＦＡＸ送信元別のフォルダに自動的に振り分けて文書保存するため文書の電子化・保存業務を効率化することができる。
・ＦＡＸ受信文書を電子化することで検索業務の効率化をすることができる。
・抽出したバーコード情報をファイル名として保存できるためファイル名を命名して入力等する作業の手間が省ける。
・バーコードに「至急」などのメッセージ情報がある場合には、その旨のメールを管理者ＰＣに送ることにより、管理者にとって迅速な対応が可能になる。
・複数頁のＦＡＸ文書のそれぞれ１頁毎に格納先を指定することにより、複数頁のＦＡＸを手動で担当者毎に配る必要がなくなる。送信する側にとっても一のＦＡＸ送信で済むため通信費の削減ができる。
・画像切り出し処理を行い不要なデータ領域を削除することで、外部装置側のメモリ容量を節約することができる。また、データが少なくなることによりその画像データを送信する際の通信時間と通信費を節約することができる。さらに画像を確認する時に不要部分を見なくて済む。
・ＦＡＸ返信時に「画像切り出し」「文字埋め込み」「電子印鑑」処理を行うことによって文字を書く手間、又は、印鑑を押す手間がかからない。さらに、プレビュー画面に表示し、又は、印刷することにより、操作者が確認することができ、ＦＡＸ返信時の原稿内容の誤りを防止できる。
・ＦＡＸ受信文書を印刷せずにＦＡＸ返信が可能なためＦＡＸを印刷する紙代、トナー代を節約できる。
・必要な部分のみをＦＡＸ返信するので通信費が節約できる。
【０１２４】
上述した実施形態では、送信用原稿Ｐから認識される埋込情報としてバーコード、または２次元コード、例えば、ＱＲコードを一例として説明してきたが、埋込情報の形態は、これらに限定されるものではない。他の実施形態では、色情報を含む３次元コードなどの多次元コードで表現された可視画像や、電子透かし技術によって埋込まれた情報を埋込情報の形態として採用してよい。
【０１２５】
また上述した実施形態では、通信装置としてファクシミリ装置を一例として説明してきたが、本発明の実施形態の通信装置はファクシミリ装置に限定されるものではない。他の実施形態では、送信機能付きの画像読取装置（スキャナ）や画像形成装置（複写機、複合機、プリンタ）として構成してもよい。
【０１２６】
また、上記機能は、アセンブラ、Ｃ、Ｃ＋＋、Ｃ＃、Ｊａｖａ（登録商標）、などのレガシープログラミング言語やオブジェクト指向ブログラミング言語などで記述された装置実行可能なプログラムにより実現でき、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤメモリ、ＭＯなど装置可読な記録媒体に格納して頒布することができる。
【０１２７】
これまで本発明の実施形態について説明してきたが、本発明の実施形態は上述した実施形態に限定されるものではなく、他の実施形態、追加、変更、消去など、当業者が想到することができる範囲内で変更することができ、いずれの態様においても本発明の作用・効果を奏する限り、本発明の範囲に含まれるものである。
【図面の簡単な説明】
【０１２８】
【図１】本発明の一実施の形態に係る通信装置を含む通信システムの例を説明する図。
【図２】本発明の一実施の形態に係る通信装置の機能構成の例の図。
【図３】本発明の一実施の形態に係る通信装置をファクシミリ装置として実現する場合の装置構成の例を説明する図。
【図４】本実施形態のファクシミリ装置が実行するファクシミリ受信の処理の例のフロー図。
【図５】アドレス帳に格納されている情報の例を説明する図。
【図６】メッセージ情報に基づく処理の例のフロー図。
【図７】頁毎にバーコードを有する画像データを処理する例のフロー図。
【図８】複数頁からなる画像データを最初の頁に含まれているバーコードの埋込情報に基づいて処理する例のフロー図。
【図９】受信された画像データの中から所定の領域の画像を削除する処理を行う例のフロー図。
【図１０】領域データを切り出す処理を説明する図。
【図１１】ＦＡＸによる返信処理を行う例のフロー図。
【図１２】本実施形態の通信装置を実現するコンピュータの構成図。
【符号の説明】
【０１２９】
１０  ファクシミリ装置
１２  画像読取部
１４  画像処理部
１６  送信用バッファメモリ
１８  符号化復号部
２０  モデム
２２  網制御部
２４  電話機
２６  操作・表示部
２８  システム制御部
３０  送信関連用情報記憶部
３２  キャラクタジェネレータ
３４  受信用バッファメモリ
３６  記録制御部
３８  画像記録部
４０  アプリケーション部
４２  ＮＩＣ
Ｐ…送信用原稿
１１０  埋込情報取得手段
１１１  メッセージ情報取得手段
１２０  格納先決定手段
１２１  ファイル名決定手段
１３０  通信手段
１３１  データ格納手段
１３２  メール送信手段
１３３  返信手段
１３４  受信手段
１４０  格納先情報保持手段
１５０  画像処理手段
１５１  領域処理手段
１５２  入力合成手段
１５３  頁データ生成手段
１６０  画面生成手段
１６１  入力画面生成手段
１６２  確認画面生成手段
４００  コンピュータの主処理部
４０１  ＣＰＵ
４０８  ＲＯＭ
４０９  ＲＡＭ
４１０  入力デバイス
４２０  表示装置
４３０  プリンタ
４４０  スキャナ
４５０  通信部
４９０  ＨＤＤ
【図１】
2009017482.tif 000003
【図２】
2009017482.tif 000004
【図３】
2009017482.tif 000005
【図４】
2009017482.tif 000006
【図５】
2009017482.tif 000007
【図６】
2009017482.tif 000008
【図７】
2009017482.tif 000009
【図８】
2009017482.tif 000010
【図９】
2009017482.tif 000011
【図１０】
2009017482.tif 000012
【図１１】
2009017482.tif 000013
【図１２】
2009017482.tif 000014